【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
下記を具備する、スペクトル拡散通信システムにおいて、１つ以上の呼を同時に処理するための方法：
局において、処理される特定の呼の表示を処理する；および
前記特定の呼のタイプに従うタイプの呼制御状態機械を例示化する、前記例示化された呼制御状態機械は、前記特定の呼を用いて識別され、かつ前記特定の呼の処理を制御するために使用される。
【請求項２】
さらに下記を具備する、請求項１の方法：
局において、処理されるさらなる呼の表示を受信する；および
前記さらなる呼のタイプに従うタイプのもう一つの呼制御状態機械を例示化する。
【請求項３】
さらに下記を具備する、請求項１の方法：
前記特定の呼のためのサービスオプション接続を決定する、前記サービスオプション接続はデータ送信のために使用されるパラメータセットを示す情報を含む。
【請求項４】
前記特定の呼のためのサービスオプション接続は１つ以上の受信されたメッセージを介して決定される、請求項３の方法。
【請求項５】
前記特定の呼のために使用される物理チャネルを示すメッセージを受信することをさらに具備する、請求項１の方法。
【請求項６】
さらに下記工程を具備する、請求項１の方法：
前記特定の呼を解放するための指令を受信する；
前記特定の呼を解放する；および
前記特定の呼のための例示化された呼制御状態機械を終了する。
【請求項７】
前記特定の呼のための前記例示化された呼制御状態機械は、前記特定の呼のタイプに基づいて選択された特定のタイプである、請求項１の方法。
【請求項８】
前記特定の呼は、音声呼、データ呼、ビデオ呼、ＩＳＤＮ呼またはＧＳＭ呼である、請求項１の方法。
【請求項９】
音声呼またはデータ呼のための前記例示化された呼制御状態機械は、
前記音声呼またはデータ呼の許される送信期間を示す会話副状態と、
前記音声呼またはデータ呼の終了を示す解放副状態と、
を含む、請求項１の方法。
【請求項１０】
前記音声呼またはデータ呼のための例示化された呼制御状態機械は、
情報メッセージを伴う警報の待ちを示す命令副状態を待つことと；
前記音声呼またはデータ呼に対するユーザ応答のための待ちを示す応答副状態を待つこと；
をさらに含む、請求項９の方法。
【請求項１１】
前記特定の呼のためのサービスオプション接続を決定するためのサービスネゴシエーション手続きを実行することをさらに具備する、請求項１の方法。
【請求項１２】
少なくとも１つの呼が係属している間、トラフィックチャネル副状態を維持することをさらに具備する、請求項１の方法。
【請求項１３】
トラヒックチャネル副状態にいる間、新しい呼を確立するためにＣＣ関連メッセージのセットを交換することをさらに具備する、請求項１２の方法。
【請求項１４】
前記新しい呼のためのサービスオプション接続を確立するためにセットサービスネゴシエーションメッセージを交換することをさらに具備する、請求項１３の方法。
【請求項１５】
前記ＣＣ関連メッセージは前記サービスネゴシエーションメッセージと独立して交換される、請求項１４の方法。
【請求項１６】
前記特定の呼は移動局において終了される、請求項１の方法。
【請求項１７】
前記特定の呼は移動局により発呼される、請求項１の方法。
【請求項１８】
下記を具備する、スペクトル拡散通信システムにおいて、２以上の呼を同時に支持するための方法：
処理される第１の呼の表示を受信する；
データ送信のために使用される第１のサービスオプション接続を決定する；
前記第１のサービスオプション接続に関連する１つ以上の物理チャネルのセットを確立する；
前記第１の呼を前記第１のサービスオプション接続にマッピングする；および
前記第１の呼の処理を制御するために、前記第１の呼のタイプに従うタイプの呼制御状態機械例示化する。
【請求項１９】
処理される各次の呼のための別個の呼制御状態機械を例示化し、前記例示化された呼制御状態機械は、前記次の呼のタイプに従うタイプである、請求項１８の方法。
【請求項２０】
さらに下記を具備する請求項１９の方法：
データ送信のために使用される１つ以上のさらなるサービスオプション接続を決定する；
各アクティブ呼を前記決定されたサービスオプション接続の１つにマッピングする。
【請求項２１】
さらに下記を具備する請求項１８の方法：
特定の呼を解放する指令を受信する；
特定の呼を解放する；および
前記特定の呼のための例示化された呼制御状態機械を解放する。
【請求項２２】
さらに下記を具備する請求項２１の方法：
前記特定の呼にマッピングされた特定のサービスオプション接続が少なくとも１つのアクティブ呼にマッピングされるか否かを判断する；および
アクティブ呼が前記特定のサービスオプション接続にマッピングされない場合、前記特定のサービスオプション接続を解放する。
【請求項２３】
さらに下記を具備する、請求項２２の方法：
前記解放されたサービスオプション接続に関連する１つ以上の物理チャネルの各々が少なくとも１つのアクティブサービスオプション接続に関連するか否かを判断する；および
少なくとも１つのアクティブサービスオプション接続に関連しない物理チャネルを解放する。
【請求項２４】
下記を具備する、スペクトル拡散通信システムにおいて、１つ以上の呼を処理するための方法：
使用すべき特定の通信システムを選択する；
入ってくる呼の警報メッセージのためのページングチャネルを監視する；
１つ以上の呼の各々に対してデータ送信のための１つ以上の物理チャネルを確立する；
前記１つ以上の呼の各々のタイプに従うタイプの１つの呼制御状態機械を例示化する；
前記確立された１つ以上の物理チャネルに対して１つ以上の呼のためのメッセージを交換する；
特定の呼を解放するための表示を受信する；および
前記解放するための受信した表示に応答して前記特定の呼のための前記例示化された呼制御状態機械を解放する。
【請求項２５】
音声呼またはデータ呼のための前記例示化された呼制御状態機械は、
前記音声呼またはデータ呼のための許される期間を示す会話副状態；および
前記音声呼またはデータ呼の終了を示す解放副状態を含む、請求項２４の方法。
【請求項２６】
前記音声呼またはデータ呼のための前記例示化された呼制御状態機械は、
前記音声呼またはデータ呼を処理するために、情報メッセージを伴う警報を待つことを示す命令副状態を待つことと；
前記音声呼またはデータ呼に対するユーザ応答待ちを示す応答副状態を待つこと；
をさらに含む、請求項２５の方法。
【請求項２７】
前記１つ以上の呼の各々を固有の呼識別子で識別することをさらに具備する、請求項２４の方法。
【請求項２８】
前記交換されたメッセージの各々は前記メッセージが向かう前記呼の前記呼識別子を含む、請求項２４の方法。
【請求項２９】
下記を具備する、スペクトル拡散通信システムにおける移動装置：
入ってくるメッセージを受信するように構成された受信器ユニット；
出て行くメッセージを送信するように構成された送信器ユニット；
前記受信器ユニット及び送信器ユニットに動作可能に接続され、
処理される特定の呼の表示を受信し、および
前記特定の呼のタイプに従うタイプの呼制御状態機械を例示化し、前記例示化された呼制御状態機械は前記特定の呼を用いて識別され、前記特定の呼の処理を制御するように使用されるように構成されるコントローラ。
【請求項３０】
前記コントローラは、
処理されるさらなる呼の１つの表示を受信し、および
前記さらなる呼のタイプに従うタイプのさらなる呼制御状態機械を例示化する、
ようにさらに構成される請求項２９の移動装置。
【請求項３１】
前記コントローラは、特定の呼を解放するための指令を受信し、および
前記特定の呼のための呼制御状態機械を解放するようにさらに構成される、請求項２９の移動装置。
【請求項３２】
下記を具備する、スペクトル拡散通信システムにおける移動装置：
入ってくるメッセージを受信するように構成された受信器ユニット；
出て行くメッセージを送信するように構成された送信器ユニット；および
前記受信器ユニットおよび送信器ユニットに動作可能に接続され、
特定のスペクトル拡散通信システムと同期を取る期間を示す初期化状態と、
ページングチャネルを監視する期間を示すアイドル状態と、
基地局をアクセスする期間を示すシステムアクセス状態と、および
各アクティブ呼が呼制御状態機械に関連している、少なくとも１つのアクティブ呼の処理を示すトラヒック状態と、
を含む呼処理状態機械を実現するように構成されるコントローラ。
【請求項３３】
前記トラヒック状態機械は、
トラヒックチャネル上のデータ送信を示すトラヒックチャネル初期化副状態と、
特定の呼のためのデータ送信を示すトラヒックチャネル副状態と、および
前記特定の呼の終了を示す解放副状態と、
を含む、請求項３２の移動装置。
【請求項３４】
前記コントローラは、処理されている各呼のための呼制御状態機械を例示化するようにさらに構成され、前記例示化された呼制御状態機械は処理されている呼のタイプに基づいて選択された特定のタイプである、請求項３２の移動装置。
【請求項３５】
前記音声呼またはデータ呼のための呼制御状態機械は、
前記音声呼またはデータ呼を処理するために情報メッセージを伴う警報のための待ちを示す命令副状態を待つことと、
前記音声呼またはデータ呼に対するユーザの応答の待ちを示す応答副状態を待つことと、
前記音声呼またはデータ呼のための許される送信期間を示す会話副状態と、および
前記音声呼またはデータ呼の終了を示す呼解放副状態と、
を含む、請求項３４記載の移動装置。
【請求項３６】
前記局は移動局である、請求項１の方法。
【請求項３７】
前記局は基地局である、請求項１の方法。
【請求項３８】
下記を具備するスペクトル拡散通信システム内の基地局：
入ってくるメッセージを受信するように構成された受信器ユニット；
出て行くメッセージを送信するように構成された送信器ユニット；および
前記受信器ユニットおよび送信器ユニットと動作可能に接続され、
処理される特定の呼の表示を受信する；および
前記特定の呼のタイプに従うタイプの呼制御状態機械を例示化し、前記例示化された呼制御状態機械は、前記特定の呼を用いて識別され、前記特定の呼の処理を制御するために使用されるように構成されたコントローラ。
【請求項３９】
前記コントローラは、
処理されるさらなる呼の表示を受信し；および
前記さらなる呼のタイプに従うタイプのもう一つの呼制御状態機械を例示化する、
ように構成される、請求項３８の基地局。
【請求項４０】
前記コントローラは、
前記特定の呼を解放するための指令を受信し、および
前記特定の呼のための呼制御状態機械を解放する、
ようにさらに構成された、請求項３９の基地局。